(57)【要約】  【課題】  表示シートを明るく表示することができ、立体感をより一層引き出すことができると共に、デザイン性に優れ、且つ全体をコンパクトに構成することができ、携帯性にも優れた立体表示シート鑑賞立てとする。  【解決手段】  額フレーム１２と、額フレーム１２に保持されて、表示シートＤ１，Ｄ２，Ｄ３を支持するべき支持面を持つ複数の支持板１４と、を備え、額フレーム１２は、前後に離間して且つ前後方向に重ね合わせて支持板１４を保持するべく、支持部１４の対向する２辺をそれぞれ保持する一対の保持アーム部１２ａ、１２ｂと、該一対の保持アーム部１２ａ、１２ｂとを後方で連結する連結部１２ｃとを有しており、連結部１２ｃと最後部の支持部１４との間には隙間１６が形成されており、一対の保持アーム部１２ａ、１２ｂによって支持される以外の支持部１４の少なくとも一部の辺が外方に開放される。【選択図】  図２
0003104117.tif 000002
【実用新案登録請求の範囲】
【請求項１】
額フレームと、額フレームに保持されて、表示シートを支持するべき支持面を持つ複数の支持部と、を備え、前記額フレームは、前後に離間して且つ前後方向に重ね合わせて支持部を保持することができ、複数の表示シートを立体的に配置することが可能になった立体表示シート鑑賞立てにおいて、
額フレームは、支持部の対向する２辺をそれぞれ保持する一対の保持アーム部と、該一対の保持アーム部同士をその後方で連結する連結部とを有しており、連結部と最後部の支持部との間には前後方向の隙間が形成されており、前記一対の保持アーム部によって支持される以外の支持部の少なくとも一部の辺が外方に開放されることを特徴とする立体表示シート鑑賞立て。
【請求項２】
連結部には、開口が形成されることを特徴とする請求項１記載の立体表示シート鑑賞立て。
【請求項３】
額フレームの少なくとも一部が透明材料からなることを特徴とする請求項１記載の立体表示シート鑑賞立て。
【請求項４】
支持部の前方には、前記一対の保持アーム部によって支持されるレンズが配設されることを特徴とする請求項１記載の立体表示シート鑑賞立て。
【請求項５】
一対の保持アーム部は、上下に配設されることを特徴とする請求項１記載の立体表示シート鑑賞立て。
【請求項６】
前記連結部は、最後部の支持部に対して凹状に湾曲した形状をなすことを特徴とする請求項１記載の立体表示シート鑑賞立て。
【考案の詳細な説明】
【技術分野】
【０００１】
本考案は、写真、はがき、絵、切り抜き等の表示シートを立体的に配置することができる立体表示シート鑑賞立てに関する。
【背景技術】
【０００２】
従来の表示シート鑑賞立てとして一般的に知られる写真立ては、平面的な写真を透明な表パネルと裏パネルとの間で挟むなどして、額内に入れている。しかしながら、このような写真立てでは、平面的にしか鑑賞することができないという問題がある。
【０００３】
これに対して、特許文献１では、複数の写真等の表示シートの組み合わせを楽しむことができ、また、その複数の写真の相対的な位置の自由度が大きく、バリエーションに優れた立体表示シート鑑賞立てが提案されており、表示シートを収納可能となった額フレームと、額フレームに保持されて、表示シートを支持するべき支持面を持つ複数の支持部と、を備え、前記額フレームは、前後に離間して且つ前後方向に重ね合わせて支持部を保持することができるようになっている。
【０００４】
ところで、複数の表示シートを前後方向に重ね合わせて配置した場合、外光は前方からのみ表示シートに当たるため、後方の表示シートへ光が届きにくく、前方の表示シートよりも後方の表示シートは暗くなる傾向となり、そのために表示シートの立体感を十分に表現することができないという問題がある。
【０００５】
【特許文献１】実用新案登録第３０９７６６０号公報
【考案の開示】
【考案が解決しようとする課題】
【０００６】
本考案は、かかる課題に鑑みなされたもので、その目的は、表示シートを明るく表示することができ、立体感をより一層引き出すことができると共に、デザイン性に優れ、且つ全体をコンパクトに構成することができ、携帯性にも優れた立体表示シート鑑賞立てを提供することである。
【課題を解決するための手段】
【０００７】
前述した目的を達成するために、請求項１記載の本考案は、額フレームと、額フレームに保持されて、表示シートを支持するべき支持面を持つ複数の支持部と、を備え、前記額フレームは、前後に離間して且つ前後方向に重ね合わせて支持部を保持することができ、複数の表示シートを立体的に配置することが可能になった立体表示シート鑑賞立てにおいて、額フレームは、支持部の対向する２辺をそれぞれ保持する一対の保持アーム部と、該一対の保持アーム部同士をその後方で連結する連結部とを有しており、連結部と最後部の支持部との間には前後方向の隙間が形成されており、前記一対の保持アーム部によって支持される以外の支持部の少なくとも一部の辺が外方に開放されることを特徴とする。
【０００８】
請求項２記載の考案は、請求項１記載の連結部に、開口が形成されることを特徴とする。
【０００９】
請求項３記載の考案は、請求項１記載の額フレームの少なくとも一部が透明材料からなることを特徴とする。
【００１０】
請求項４記載の考案は、請求項１記載の支持部の前方に、前記一対の保持アーム部によって支持されるレンズが配設されることを特徴とする。
【００１１】
請求項５記載の考案は、請求項１記載の一対の保持アーム部が、上下にそれぞれ配設されることを特徴とする。
【００１２】
請求項６記載の考案は、請求項１記載の前記連結部が、最後部の支持部に対して凹状に湾曲した形状をなすことを特徴とする。
【考案の効果】
【００１３】
本考案によれば、前後に離間して配置される支持部の間、及び連結部と最後部の支持部との間に、支持部の外方に開放された辺から外光を採り入れることができるため、支持板によって支持される表示シートをその外光によって明るく表示することができる。
【００１４】
また、額フレームは、連結部と一対の保持アーム部とからなる簡単でコンパクトな構成であるために、持ち運びにも便利であり、携帯性に優れる。
【００１５】
さらには、連結部と一対の保持アーム部とからなる額フレームによってデザイン性も向上させることができる。
【００１６】
請求項２記載の考案によれば、連結部に形成された開口からも外光を採り入れることができるために、支持板によって支持される表示シートをその外光によって明るく表示することができる。
【００１７】
請求項３記載の考案によれば、額フレームの透明材料からなる部分からも外光を採り入れることができるために、支持板によって支持される表示シートをその外光によって明るく表示することができる。
【００１８】
請求項４記載の考案によれば、レンズによって表示シートをより奥行きのあるように表示して、立体感を向上させることができる。
【００１９】
請求項５記載の考案によれば、支持部の両側部を外方に開放することができ、両側部から外光を採り入れることができるために、支持板によって支持される表示シートをその外光によって明るく表示することができる。
【００２０】
請求項６記載の考案によれば、連結部と最後部の支持部との間に大きな隙間を形成することができて、より外光を採り入れることができるために、支持板によって支持される表示シートをその外光によって明るく表示することができる。また、湾曲形状の連結部によりデザイン性も向上させることができる。
【考案を実施するための最良の形態】
【００２１】
以下、図面を用いて本考案の実施の形態を説明する。尚、本考案は下記実施形態に限定されるものではない。
【００２２】
（第１実施形態）
図１は本考案の立体表示シート鑑賞立ての第１実施形態を表す全体斜視図である。図において、この立体表示シート鑑賞立て１０は額フレーム１２を有している。この額フレーム１２は、それぞれ対向する一対の保持アーム部１２ａ、１２ｂと、これらの保持アーム部１２ａ、１２ｂ同士をその後方で連結する連結部１２ｃとからなる。このような額フレーム１２は、木製、金属製、プラスチック製等とすることができ、プラスチック製とする場合には、前部分と後部分とを構成する２つの成形部品を結合することで構成することができる。
【００２３】
上記保持アーム部１２ａ、１２ｂと連結部１２ｃの３つの部分を側方から見た全体形状は略コ字形状となっており、２つの保持アーム部１２ａ、１２ｂは、その後部同士が連結部によって後方において連結されているだけであり、それ以外の部分においては互いに連結されていない。
【００２４】
また、連結部１２ｃの下部には、固定用の脚部１２ｆが形成されている（図５参照）。但し、立体表示シート鑑賞立てを壁掛けタイプとするときには、脚部１２ｆは省略可能である。
【００２５】
２つの保持アーム部１２ａ、１２ｂの対向する面部分には、複数（この例では３つ）の溝１２ｄ（１２ｄ１、１２ｄ２、１２ｄ３）、１２ｅ（１２ｅ１、１２ｅ２、１２ｅ３）が互いに対となるようにして形成されており、溝１２ｄ１、１２ｄ２、１２ｄ３及び溝１２ｅ１、１２ｅ２、１２ｅ３は、それぞれ前後に離間して設けられる。本例では、保持アーム部１２ａを上に、保持アーム部１２ｂを下に配置することを前提としており、図３に示すように、対となる保持アーム部１２ａの溝１２ｄと保持アーム部１２ｂの溝１２ｅとは、完全に鉛直線上に一致しているのではなく、溝１２ｅの方が対応する溝１２ｄよりもやや前側に位置している。また、溝１２ｄ、１２ｅのうちのそれぞれの最後部の溝１２ｄ３、１２ｅ３と連結部１２ｃとの間には、間隔が設けられている。
【００２６】
対となる溝１２ｄ、１２ｅには、支持部を構成する支持板１４が差し込まれる。溝１２ｄ、１２ｅの対同士が前後に離間しているために、複数の支持板１４は互いに前後に離間して配置される。
【００２７】
支持板１４は、図４に示すように、２枚の透明薄板２０、２２からなり、これらの透明薄板２０、２２の間に表示シートＤ１、Ｄ２、Ｄ３を挟着することができるようになっている。但し、支持板１４は、１枚の透明薄板とすることもでき、その場合には、支持板１４に表示シートを両面粘着テープまたは片面粘着テープで貼り付けることにしてもよい。または、支持板１４を１枚の透明薄板に透明軟質シートが重なり合ったものとして、その透明薄板と透明軟質シートとの間に表示シートＤ１、Ｄ２、Ｄ３を挟着することでもよい。
【００２８】
表示シートＤ１、Ｄ２、Ｄ３の組み合わせは、ユーザが自由に選択することができ、また、表示シートを対応する支持部に挟着させる位置もユーザが自由に選択することができる。例えば、最後部に配置されることになる表示シートＤ３は、背景的なものとし、最前部に配置されることになる表示シートＤ１は、自分や好きなキャラクタの写真または絵の切り抜きなどとすることができる。中間に配置されることになる表示シートＤ２も好きなものを選ぶことができ、図示のように、背景と切り抜きとの間を空間的に結びつける窓の絵柄とすることができる。こうして、表示シートの合成を楽しむことができる。
【００２９】
または、表示シートＤ１、Ｄ２、Ｄ３をそれぞれ時間的な要素を加えた絵とすることにより、奥行き時間の次元が加わった所謂４次元的な表示シート鑑賞立てとすることができる。
【００３０】
この実施形態では、保持アーム部１２ａ、１２ｂが支持板１４の対向する２辺のみを保持しており、つまり、支持部１４の保持アーム部１２ａ、１２ｂによって支持される以外の両側の辺（端縁）が外方に開放されている。これにより、支持板１４の開放された両側の辺側から、前後に離間して配置された支持板１４の隙間に外光を採り込むことができる。同時に、最後部の支持板１４と連結部１２ｃとの間にも前後方向の隙間１６が形成されているために、最後方の支持板１４の後方にも外光を採り込むことができ、各支持板１４によって支持される表示シートＤ１、Ｄ２、Ｄ３をその外光によって明るく表示することができる。
【００３１】
表示シートＤ１、Ｄ２、Ｄ３の設定または交換は、対応する支持板１４を、保持アーム部１２ａ、１２ｂの間の開放された部分から適宜、出し入れすることにより行うことができ、支持板１４の保持アーム部１２ａ、１２ｂの溝１２ｄ、１２ｅへの出し入れは簡単に行うことができる。
【００３２】
持ち運びを行うときには、連結部１２ｃを持って行うことができるので、携帯性にも優れたものとすることができる。
【００３３】
額フレーム１２が通常の写真フレームのように写真の４辺の全周囲に渡って設けられていないので、コンパクトに構成することができ、デザイン性に優れ、且つ表示するべき表示シートＤ１、Ｄ２、Ｄ３を目立たせることができる。
【００３４】
さらには、溝１２ｄと溝１２ｅの対において、溝１２ｅの方が対応する溝１２ｄよりもやや前側に位置しているために、支持板１４をやや上向きに傾斜した状態で保持することができ、設置タイプに適した立体表示シート鑑賞立てとすることができる。但し、この立体表示シート鑑賞立てを、壁掛けタイプとする場合には、溝１２ｄと溝１２ｅの位置を鉛直方向に揃えることもできる。
【００３５】
（第２実施形態）
図５に示す第２実施形態は、図１の立体表示シート鑑賞立ての変形例であり、連結部１２ｃに開口１２ｇが形成されている。これによって、後方からさらに外光を採り入れることができるために、各支持板１４によって支持される表示シートＤ１、Ｄ２、Ｄ３をその外光によってより明るく表示することができる。
【００３６】
開口１２ｇとしては、図示したような１つの大きな開口のみならず、複数の小さな開口、または格子状の開口とすることも可能である。
【００３７】
また、以上のような開口１２ｇを設ける代わりに、保持アーム部１２ａ、１２ｂ及び、連結部１２ｃの少なくとも一部を透明材料で構成することも可能である。
【００３８】
（第３実施形態）
図６または図７は、本考案の第３実施形態を表す図である。この実施形態では、連結部１２ｃが前実施形態のように真っ直ぐに上下に伸びているのではなく、支持板１４に対して凹状に湾曲しており、従って、湾曲した連結部１２ｃと最後部の支持板１４との間には、大きな隙間１６が形成されており、より外光を採り入れやすい構成となっている。また、保持アーム部１２ａ、１２ｂも前実施形態のように断面矩形状ではなく、断面略扇状をなしており、全体としてデザイン性に優れた形状となっている。
【００３９】
(第４実施形態)
図８は、本考案の第４実施形態を表す図である。この実施形態では、図１とほぼ同じ構成の立体表示シート鑑賞立てが横向きに設置されて保持アーム１２ａ、１２ｂがそれぞれ左右に配置されている。
【００４０】
支持板１４は対となる溝１２ｄ、１２ｅの間に上から差し込むようになっている。このために、溝１２ｄ、１２ｅの一端（図８においては下端）には封止部１２ｈ、１２ｉが設けられており、封止部１２ｈ、１２ｉが支持板１４の下端を受け止めて支持板１４の落下を防止することができるようになっている。
【００４１】
このように構成された立体表示シート鑑賞立てにおいても、支持板１４の開放された上辺側から、離間して配置された支持板１４の隙間に外光を採り込むことができる。同時に、最後部の支持板１４の後方にも隙間１６から外光を採り込むことができ、各支持板１４によって支持される表示シートＤ１、Ｄ２、Ｄ３をその外光によって明るく表示することができる。
【００４２】
（第５実施形態）
図９に示す第５実施形態は、図８の実施形態の変形例を表す図である。この実施形態では、底部１２ｊが新たに追加されている点で、図８とは異なっている。底部１２ｊがあっても、上方から外光を採り入れることができるため、表示シートＤ１、Ｄ２、Ｄ３をその外光によって明るく表示することができる。
【００４３】
（第６実施形態）
図１０は、本考案の第６実施形態を表す図である。この実施形態では、支持板１４よりも前方にレンズ２４が設けられている。レンズ２４は、一対の保持アーム部１２ａ、１２ｂとの間に渡って配設される。
【００４４】
レンズ２４によって、表示シートをより奥行きのあるように表示して、立体感を向上させることができる。
【図面の簡単な説明】
【００４５】
【図１】本考案の立体表示シート鑑賞立ての第１の実施形態を表す全体斜視図である。
【図２】図１の立体表示シート鑑賞立てに表示シートを支持させた使用状態を表す全体斜視図である。
【図３】図１の立体表示シート鑑賞立ての側面図である。
【図４】第１の実施形態の立体表示シート鑑賞立て内に立体的に配置する表示シートと支持板との斜視図である。
【図５】本考案の立体表示シート鑑賞立ての第２の実施形態を表す後方から見た全体斜視図である。
【図６】本考案の立体表示シート鑑賞立ての第３の実施形態を表す全体斜視図である。
【図７】図６の中央鉛直線に沿って切って見た断面図である。
【図８】本考案の立体表示シート鑑賞立ての第４の実施形態を表す全体斜視図である。
【図９】本考案の立体表示シート鑑賞立ての第５の実施形態を表す全体斜視図である。
【図１０】本考案の立体表示シート鑑賞立ての第６の実施形態を表す縦断面図である。
【符号の説明】
【００４６】
１０  立体表示シート鑑賞立て
１２  額フレーム
１２ａ、１２ｂ  保持アーム部
１２ｃ  連結部
１２ｇ  開口
１４  支持板
１６  隙間
２４  レンズ
Ｄ１，Ｄ２，Ｄ３  表示シート
【図１】
0003104117.tif 000003
【図２】
0003104117.tif 000004
【図３】
0003104117.tif 000005
【図４】
0003104117.tif 000006
【図５】
0003104117.tif 000007
【図６】
0003104117.tif 000008
【図７】
0003104117.tif 000009
【図８】
0003104117.tif 000010
【図９】
0003104117.tif 000011
【図１０】
0003104117.tif 000012